(57)【要約】      （修正有）【課題】計数処理の最中に、ポケットから取り出した計数済紙幣束の枚数を再確認し、ポケットに一度集積した紙幣を再識別する事が可能な紙幣計数機を提供する。【解決手段】紙幣計数機であって、識別部が紙幣受付部により受け付けられた第１の紙幣を識別し、振り分け部が識別部により識別された第１の紙幣を収納部に振り分け、制御部が振り分け部により振り分けられた紙幣の第１の計数結果を出力する計数処理と、第１の紙幣計数後の割り込み計数指示に基づいて、収納部の空きの有無を判定し、収納部に空きがあると判定した場合、識別部が紙幣受付部により受け付けられた第２の紙幣を識別し、振り分け部が識別部により識別された第２の紙幣を空きがある収納部に振り分け、制御部が振り分け部により振り分けられた紙幣の第２の計数結果を出力する割り込み計数処理と、を実行し、制御部は、第２の計数結果出力後に第１の計数結果を再出力し、計数処理を続行させる。【選択図】図５Ａ
2018151725.tif 000002
【特許請求の範囲】
【請求項１】
投入された紙幣を受け付ける紙幣受付部と、受け付けた紙幣を識別する識別部と、前記識別の結果に応じて紙幣を複数の収納部のいずれかに振り分ける振り分け部と、前記紙幣受付部と前記識別部と前記振り分け部とを制御する制御部と、を有した紙幣計数機であって、
前記識別部が前記紙幣受付部により受け付けられた第１の紙幣を識別し、前記振り分け部が前記識別部により識別された前記第１の紙幣を前記収納部に振り分け、前記制御部が前記振り分け部により振り分けられた紙幣の第１の計数結果を出力する計数処理と、
前記第１の紙幣計数後の割り込み計数指示に基づいて、前記収納部の空きの有無を判定し、前記収納部に空きがあると判定した場合、前記識別部が前記紙幣受付部により受け付けられた第２の紙幣を識別し、前記振り分け部が前記識別部により識別された前記第２の紙幣を空きがある前記収納部に振り分け、前記制御部が前記振り分け部により振り分けられた紙幣の第２の計数結果を出力する割り込み計数処理と、を実行し、
前記制御部は、前記第２の計数結果出力後に前記第１の計数結果を再出力し、前記計数処理を続行させる、
ことを特徴とする紙幣計数機。
【請求項２】
前記振り分け部は、前記割り込み計数処理において、前記複数の収納部のうち前記第１の紙幣が収納されていない収納部を空きがある前記収納部と判定し、当該収納部に前記第２の紙幣を振り分ける、
ことを特徴とする請求項１に記載の紙幣計数機。
【請求項３】
前記制御部は、前記収納部に空きがないと判定した場合、前記収納部から紙幣が取り出されたか否かを判定し、前記収納部から紙幣が取り出されたと判定した場合、当該収納部に対して前記割り込み計数処理を実行する、
ことを特徴とする請求項１に記載の紙幣計数機。
【請求項４】
前記制御部は、操作部から受け付けられた前記割り込み計数指示に含まれる前記収納部に対する前記割り込み計数処理を実行し、当該割り込み計数処理終了した場合に、前記当該割り込み計数処理実行前の前記第１の計数結果を前記操作部に出力する、
ことを特徴とする請求項３に記載の紙幣計数機。
【請求項５】
前記制御部は、操作部から受け付けられた再計数指示に含まれる前記収納部に対する再計数処理であって、前記収納部の空きの有無を判定し、前記収納部に空きがあると判定した場合、前記識別部が前記紙幣受付部により受け付けられた第３の紙幣を識別し、前記振り分け部が前記識別部により識別された前記第３の紙幣を空きがある前記収納部に振り分け、前記制御部が前記振り分け部により振り分けられた紙幣の第３の計数結果を出力する前記再計数処理を実行し、前記第３の計数結果を前記第１の計数結果に反映する、
ことを特徴とする請求項１に記載の紙幣計数機。
【発明の詳細な説明】
【技術分野】
【０００１】
本発明は、紙幣計数機(紙幣ソーター)の計数処理中の割り込み計数処理に関する。
【背景技術】
【０００２】
金融機関の現金センターなど大量の紙幣を処理する必要がある事業所において、紙幣計数機（紙幣ソーター）が利用されている。紙幣ソーターは紙幣を計数するための装置で、例えば、紙幣を投入するための紙幣投入部(ホッパー）、紙幣投入部から搬送された紙幣を識別するための識別部、識別された紙幣を所定の条件に従って振り分け集積する複数のポケットを有するポケット部、ポケット部に振り分けられない紙幣を集積するリジェクト部、操作を行うための操作部などから構成されている。
【０００３】
紙幣ソーターに限らず、大量の紙幣を計数処理する紙幣取扱装置においては、その処理に非常に長い時間がかかるため、重複する処理手続きを省略することで処理時間の短縮を図る工夫がなされている。例えば特許文献１では、複数の紙幣収納庫の紙幣枚数を計数して確定する精査処理において、紙幣詰まりなどの理由により中断した処理を再開する際、枚数確定済みである収納庫は再度の精査処理を省略する提案がなされている。
【０００４】
またさらに、複数の収納庫を利用して紙幣処理を効率的に実施する工夫も多くなされており、例えば特許文献２では、紙幣取扱装置が備える収納庫を多目的に利用可能とする提案がなされている。
【先行技術文献】
【特許文献】
【０００５】
【特許文献１】特開２０１５−１１４７３５号公報
【特許文献２】特開２０１１−１４６０１８号公報
【発明の概要】
【発明が解決しようとする課題】
【０００６】
紙幣ソーターを利用する計数処理業務においては、計数処理の最中に、ポケットから取り出した計数済紙幣束の枚数を再確認したり、ポケットに一度集積した紙幣を再識別したい場合がある。
【０００７】
こうした事態に備えて、一部の金融機関の現金センターなどでは、本業務の紙幣ソーターとは別に、ポケットを１個だけ有する小型の紙幣ソーターを備えつけて小単位の計数を本来の計数業務と並行して行っている。このような方式は装置のコストがかかる上に、小型ソーターの計数結果を本業務の装置に取り込みたい場合には係員の手作業になるため手間がかかり、さらに操作ミスのよる違算の可能性も生じる。
【０００８】
特許文献１による方式は、重複処理を省略することで処理時間の短縮は実現できるものの、処理中断中に別処理を行う目的は叶えられない。さらに特許文献２による方式も、計数処理を中断および再開する際に有効なものではない。
【０００９】
本発明は、本来の計数処理の中で、ポケットから取り出した計数済紙幣束の枚数を再確認し、ポケットに一度集積した紙幣を再識別することが可能な紙幣計数機を提供することを目的とする。
【課題を解決するための手段】
【００１０】
本発明は、投入された紙幣を受け付ける紙幣受付部と、受け付けた紙幣を識別する識別部と、前記識別の結果に応じて紙幣を複数の収納部のいずれかに振り分ける振り分け部と、前記紙幣受付部と前記識別部と前記振り分け部とを制御する制御部と、を有した紙幣計数機であって、前記識別部が前記紙幣受付部により受け付けられた第１の紙幣を識別し、前記振り分け部が前記識別部により識別された前記第１の紙幣を前記収納部に振り分け、前記制御部が前記振り分け部により振り分けられた紙幣の第１の計数結果を出力する計数処理と、前記第１の紙幣計数後の割り込み計数指示に基づいて、前記収納部の空きの有無を判定し、前記収納部に空きがあると判定した場合、前記識別部が前記紙幣受付部により受け付けられた第２の紙幣を識別し、前記振り分け部が前記識別部により識別された前記第２の紙幣を空きがある前記収納部に振り分け、前記制御部が前記振り分け部により振り分けられた紙幣の第２の計数結果を出力する割り込み計数処理と、を実行し、前記制御部は、前記第２の計数結果出力後に前記第１の計数結果を再出力し、前記計数処理を続行させる、ことを特徴とする紙幣計数機として構成される。
【発明の効果】
【００１１】
本発明によれば、本来の計数処理の中で、ポケットから取り出した計数済紙幣束の枚数を再確認し、ポケットに一度集積した紙幣を再識別することができる。
【図面の簡単な説明】
【００１２】
【図１】紙幣ソーターの外観を示す概要図である。
【図２】紙幣ソーター内部構成を示す概要図である。
【図３】紙幣計数処理の結果を記憶する集計テーブルである。
【図４】割り込み計数処理の結果を記憶する割込集計テーブルである。
【図５Ａ】割込み計数処理を実現する第一の実施例のフローチャートである。
【図５Ｂ】割込み計数処理を実現する第一の実施例のフローチャートである。
【図６】第一の実施例における係員の操作内容の概要である。
【図７】第一の実施例における、集計テーブル、割込集計テーブルおよび画面の変化を説明する図である。
【図８】第一の実施例における、集計テーブル、割込集計テーブルおよび画面の変化を説明する図である。
【図９】第一の実施例における、集計テーブル、割込集計テーブルおよび画面の変化を説明する図である。
【図１０】第一の実施例における、集計テーブル、割込集計テーブルおよび画面の変化を説明する図である。
【図１１】第一の実施例における、集計テーブル、割込集計テーブルおよび画面の変化を説明する図である。
【図１２】第一の実施例における、集計テーブル、割込集計テーブルおよび画面の変化を説明する図である。
【図１３Ａ】割込み計数処理を実現する第二の実施例のフローチャートである。
【図１３Ｂ】割込み計数処理を実現する第二の実施例のフローチャートである。
【図１４】第二の実施例における係員の操作内容の概要である。
【図１５】第二の実施例における、集計テーブル、割込集計テーブルおよび画面の変化を説明する図である。
【図１６】第二の実施例における、集計テーブル、割込集計テーブルおよび画面の変化を説明する図である。
【図１７】第二の実施例における、集計テーブル、割込集計テーブルおよび画面の変化を説明する図である。
【図１８】第二の実施例における、集計テーブル、割込集計テーブルおよび画面の変化を説明する図である。
【図１９Ａ】割込み計数(ポケット再計数)処理を実現する第三の実施例のフローチャートである。
【図１９Ｂ】割込み計数(ポケット再計数)処理を実現する第三の実施例のフローチャートである。
【図２０】第三の実施例における係員の操作内容の概要である。
【図２１】第三の実施例における、集計テーブル、割込集計テーブルおよび画面の変化を説明する図である。
【図２２】第三の実施例における、集計テーブル、割込集計テーブルおよび画面の変化を説明する図である。
【図２３】第三の実施例における、集計テーブル、割込集計テーブルおよび画面の変化を説明する図である。
【図２４】第三の実施例における、集計テーブル、割込集計テーブルおよび画面の変化を説明する図である。
【発明を実施するための形態】
【００１３】
（第一の実施例）
本実施例は、計数中にポケットまたはリジェクトの空きがある場合にそれらを利用して割り込み計数処理を実施するための一つの例である。以下、図面を用いて本実施例を説明する。
【００１４】
図１は、紙幣ソーターの外観を示す概要図である。紙幣ソーター１の正面側には、操作を行うためのディスプレイやタッチパネルを備えた操作部２や装置の電源を投入するための電源スイッチ部３が設けられている。また計数紙幣をセットするための紙幣投入部（ホッパー）、振分け条件により振分けられた紙幣を集積する４個のポケット１〜４（１１〜１４)、ポケットに振分けられない紙幣を集積するリジェクト１および２（１５〜１６）を備えている。また、当該図には示されない自明の部位として、紙幣ソーターを制御する制御部、制御のためのプログラムやデータを記憶する記憶部、電源を共有する電源部なども内部に有している。
【００１５】
図２は、紙幣ソーター１の内部構成のうち特に紙幣の搬送処理に関わる部位を示す概要図である。ホッパー１０、４個のポケット１〜４（１１〜１４)、２個のリジェクト１〜２（１５〜１６）の間は、ベルトやローラー、および搬送経路を分岐する機能を有した紙幣搬送機構１７によって接続されている。さらに搬送機構１７の途中には識別部１８が設けられている。また、ホッパー１０には紙幣センサー２０が、ポケット１〜４（１１〜１４）にはそれぞれ紙幣センサー２１〜２４が、リジェクト１〜２（１５〜１６）にも紙幣センサー２５〜２６が付随しており、紙幣のセットまたは取り出しを検知できるようになっている。
【００１６】
図３は、紙幣計数処理の結果を記憶する集計テーブル１００の構成である。集計テーブル１００は、紙幣の金種などの内容を示すフィールド１０１〜１０６、紙幣の集積先となるポケットを示すフィールド１１１〜１１６、紙幣の計数結果枚数を示すフィールド１２１〜１２６、および紙幣の金額を示すフィールド１３１〜１３６で構成されている。ここに、金額フィールド１３１〜１３６は、当該の紙幣が偽券またはその他の識別不能券であった場合は０となる。
【００１７】
図４は、割り込み計数処理の結果を記憶する割込集計テーブル２００の構成である。割込集計テーブル２００は、紙幣の金種などの内容を示すフィールド２０１〜２０６、紙幣の集積先となるポケットを示すフィールド２１１〜２１６、紙幣の計数結果枚数を示すフィールド２２１〜２２６、および紙幣の金額を示すフィールド２３１〜２３６で構成されている。図３で示した集計テーブル１００ｎと図４で示す割込集計テーブル２００は同じ構造である。
【００１８】
図５Ａ、５Ｂは、割込み計数処理を実現するフローチャートである。図６は、図５Ａ、５Ｂのフローチャートの元で係員が行う操作内容の概要である。また、図７〜図１２は、図５Ａ、５Ｂのフローチャートの元で、集計テーブル、割込集計テーブルおよび画面の変化を説明する図である。以下、図５Ａ、５Ｂのフローチャートを中心に、図６〜図１２も参照して全体の動きを説明する。なお、本処理は、紙幣ソーター１が備える制御部により実行される。
【００１９】
フローチャートのS1001にて紙幣計数を開始する。操作者が紙幣をホッパーにセットすると、S1002の規則にしたがって紙幣を各ポケットおよびリジェクトに振り分けて搬送する。すなわち、万円券はポケット１およびポケット２、五千円券はポケット３、千円券はポケット４、各ポケットに集積できない紙幣のうち偽券はリジェクト１、その他はリジェクト２に集積する。この集積規則は一例であり、これ以外に様々な規則で振り分けて構わない。
【００２０】
セットされたすべての紙幣の振り分けと集積が完了すると、S1003において、その結果は集計テーブル１００に記録され、また操作部２に表示される。ここでは、図６のS501のように、ポケット１に万円券２００枚、ポケット２に万円券５５枚、ポケット３に五千円券３枚、ポケット４に千円券７６枚、そしてリジェクト１に偽券１枚、リジェクト２にその他２０枚が集積されたものとする。図７はこのときの集計テーブル１００の内容と操作部２の表示内容（第１の計数結果）である。
【００２１】
フローチャートのS1004において、ポケットあるいはリジェクトから紙幣が取り出されたことを検知すると（S1004：Yes）、S1005にて集計テーブル１００の当該ポケットまたはリジェクトの計数結果枚数をゼロにし、操作部２に表示する。図８はその場合の集計テーブル１００および操作部２の表示内容である。図８では、五千円券とその他／識別不能券が取出されたことを示している。
【００２２】
S1006において追加の紙幣がホッパーにセットされたことを検知すると（S1006：Yes）、S1002に戻り当該の紙幣を追加で計数する。
【００２３】
S1007において、操作部２の「割込計数」ボタンが押下されたことを検知すると（S1007：Yes、図６のS502）、S1008において、空のポケットまたはリジェクトがあるかチェックする。本実施例においてはポケットまたはリジェクトの空きがある場合に割り込み計数処理を行うので、空があった場合（S1008：Yes）にのみS1010に進み、割り込み計数処理の準備を行う。
【００２４】
S1009においては、操作部２のその他のボタンの押下をチェックし、もし押下されていた場合（S1009：Yes）は当該ボタンの処理を行う。例えば計数処理の終了などの処理はここで行う。
【００２５】
S1010において、空きポケットまたは空きリジェクトのいずれを割込み計数に使うか判断し、操作者に確認選択メニューを表示する。図９はその場合における操作部２の表示内容である。本例ではポケット３およびリジェクト２が空の状態で「割込計数」ボタンが押下されたとして、ポケット３とリジェクト２の両方を利用して割り込み計数を実施するか、またはポケット３のみを利用して割り込み計数を実施するか確認選択メニューを表示している。複数のポケットおよびリジェクトが空き状態にある場合は、正常識別券とその他券を振り分ける方式に限定するものではなく、様々な振り分け方法が考えられる。例えば、割り込み計数する紙幣の特に真偽を確認したい要求があるならば偽券だけをリジェクトに振り分けるメニューも表示すればよい。逆にリジェクトのみが空き状態である場合は正常識別券もリジェクトに集積して割り込み計数を行って構わない。
【００２６】
S1011において確認選択メニューのいずれかが選ばれれば（S1011：Yes、図６のS503）、S1012で実際の割り込み計数を実施する。そしてS1013において、割り込み計数の結果を割込集計テーブル２００に記録し、操作部２に表示する。ここでは、図６のS504のように、ポケット３に千円券８２枚、リジェクト２にその他３枚が集積されたものとする。図１０はこのときの集計テーブル２００の内容と操作部２の表示内容（第２の計数結果）である。
【００２７】
操作者が画面を確認したら、次にS1014において、割り込み計数で使用したポケット及びリジェクトを再び空にするよう画面案内する。図１１はそのときの操作部２の表示内容である。
【００２８】
S1015において当該のポケットおよびリジェクトが空になったことを検知すれば（S1015：Yes）、次にS1016で元の集計テーブル１００の内容を再出力し、表示する。図１２はそのときの操作部２の表示内容である。これで割り込み計数の一連の処理は完了し、再び通常の計数処理に復帰する（図６のS505）。
【００２９】
以上のように、計数処理の最中であっても空きポケットまたはリジェクトがあれば割り込み計数処理を行うことができる。別の紙幣ソーターを設置する必要はなく、追加のコストがかかるという問題を解決することができる。
【００３０】
（第二の実施例）
本実施例は、ポケットまたはリジェクトの空きがない場合でも任意のポケットを空にして割り込み計数を実施する一つの例である。以下、図面を用いて本実施例を説明する。
【００３１】
紙幣ソーターの外観、内部構成、および集計テーブルと割込集計テーブルの構成は第一の実施例と共通であるので、説明を省略する。
【００３２】
図１３Ａ、１３Ｂは、割込み計数処理を実現するフローチャートである。図１４は、図１３のフローチャートの元で係員が行う操作内容の概要である。また、図１５〜図１８は、図１３Ａ、１３Ｂのフローチャートの元で、集計テーブル、割込集計テーブルおよび画面の変化を説明する図である。以下、図１３Ａ、１３Ｂのフローチャートを中心に、図１４〜図１８も参照して全体の動きを説明する。なお、本処理は、紙幣ソーター１が備える制御部により実行される。
【００３３】
フローチャートのS2001からS2006にかけての処理は第一の実施例のS1001からS1006と同様である。図１５は、S2003の時点における集計テーブル１００の内容と操作部２の表示内容である。
【００３４】
S2007において、操作部２の「割込計数」ボタンが押下されたことを検知すると（S2007：Yes）、S2008において、空のポケットまたはリジェクトがあるかチェックする。空のポケットまたはリジェクトがあった場合は（S2008：Yes）、第一の実施例と同じになるのでここでは説明を省略する。空のポケットまたはリジェクトが存在しなかった場合は（S2008：No）、S2010に進み、割り込み計数処理の準備を行う。
【００３５】
S2009においては、操作部２のその他のボタンの押下をチェックし、もし押下されていた場合は（S2009：Yes）当該ボタンの処理を行う。例えば計数処理の終了などの処理はここで行う。
【００３６】
S2010においては、いずれかのポケットまたはリジェクトポケットを空にするよう画面案内を行う。図１６はそのときの操作部２の表示内容である。
【００３７】
S2011において、実際にいずれかのポケットまたはリジェクトが空になることをチェックし（S2011：Yes）、その後、S2012において実際の割込計数を実施する。そしてS2013において、割り込み計数の結果を割込集計テーブル２００に記録し、操作部２に表示する。ここでは、図１４のS603のように、ポケット２が空にされ、その後ポケット２に千円券２０枚とその他１枚が集積されたものとする。図１７はこのときの集計テーブル２００の内容と操作部２の表示内容である。
【００３８】
操作者が画面を確認したら、次にS2014において、割り込み計数で使用したポケット及びリジェクトを空にし、S2011にて取り出した紙幣を戻すように案内する。ここではポケット２から紙幣と取り出してから割り込み計数を実施したので、ポケット２に紙幣を戻すように案内する。図１８はそのときの操作部２の表示内容である。図１８に示すように、操作部２には、S2003で表示されたときの紙幣枚数（本例では、５５枚）とその紙幣の集積先（本例では、ポケット２）が表示される。従って、係員は、割り込み計数する前の紙幣が、どのポケットに何枚集積されていたのかを一目で確認することができる。
【００３９】
S2015において当該のポケットおよびリジェクトに紙幣がセットされたことを検知すれば（S2015：Yes）、次にS2016で元の集計テーブル１００の内容（図１５）を再出力し、表示する。これで割り込み計数の一連の処理は完了し、再び通常の計数処理に復帰する（図１４のS604）。
【００４０】
以上のように、計数処理の最中に空きポケットまたはリジェクトがない場合であっても、いずれかのポケットまたはリジェクトから紙幣を取り出せ割り込み計数処理を行うことができる。別の紙幣ソーターを設置する必要はなく、追加のコストがかかるという問題を解決することができ、さらに割り込み計数の後は、取り出した紙幣を元のポケットまたはリジェクトに戻せば、割り込み計数処理実施前の計数処理を継続することも可能である。なお、本実施例においては割り込み計数の後、ポケットから抜き取った紙幣は元のポケットに直接戻しているが、ホッパーにセットして識別および計数しながら元のポケットに集積させることで金種および枚数に相違ないことを保証することも可能である。
【００４１】
（第三の実施例）
本実施例は、特定のポケットに一旦集積した紙幣を割り込み計数処理にて再計数し、振り分けたポケットまたはリジェクトの計数結果を更新するための一つの例である。以下、図面を用いて本実施例を説明する。
【００４２】
紙幣ソーターの外観、内部構成、および集計テーブルと割込集計テーブルの構成は第一の実施例と共通であるので、説明を省略する。
【００４３】
図１９Ａ、１９Ｂは、割込み計数処理を実現するフローチャートである。図２０は、図１９Ａ、１９Ｂのフローチャートの元で係員が行う操作内容の概要である。また、図２１〜図２４は、図１９Ａ、１９Ｂのフローチャートの元で、集計テーブル、割込集計テーブルおよび画面の変化を説明する図である。以下、図１９Ａ、１９Ｂのフローチャートを中心に、図２０〜図２４も参照して全体の動きを説明する。なお、本処理は、紙幣ソーター１が備える制御部により実行される。
【００４４】
フローチャートのS3001からS3006にかけての処理は第一の実施例のS1001からS1006と同様である。図２１は、S3003の時点における集計テーブル１００の内容と操作部２の表示内容である。
【００４５】
S3007において、操作部２の「ポケット再計数」ボタンが押下されたことを検知すると（S3007：Yes）、S3008において、任意のポケットの紙幣を再計数するよう画面案内を行う。図２２はそのときの操作部２の表示内容である。任意のポケットは、例えば、係員が計数結果をもう一度確認するために選択されたポケットである。
【００４６】
S3009においては、操作部２のその他のボタンの押下をチェックし、もし押下されていた場合は（S3009：Yes）当該ボタンの処理を行う。例えば計数処理の終了などの処理はここで行う。
【００４７】
S3010において、実際にいずれかのポケットまたはリジェクトが空になることをチェックし（S3010：Yes）、その後、S3011において実際の割込計数を実施する（図２０のS703）。このとき、各紙幣の振り分け先は、元の計数の振り分け先、すなわちS3002における振り分け先と同じである。
【００４８】
そしてS3012において、割り込み計数の結果を割込集計テーブル２００に記録し、再計数前の枚数と共に操作部２に表示する。図２３はこのときの集計テーブル２００の内容と操作部２の表示内容（第３の計数結果）である。
【００４９】
操作者が画面を確認したら、次にS3013にて割込計数テーブル２００の内容を集計テーブル１００に反映して、画面に表示する。図２４はこのときの集計テーブル２００の内容と操作部２の表示内容である。これで割り込み計数の一連の処理は完了し、再び通常の計数処理に復帰する（図２０のS704）。
【００５０】
以上のように、ポケットに一旦集積した紙幣を再度識別したい場合になどにおいて、当該ポケットの紙幣を割り込み計数処理にて再計数し、その計数結果で当初集積した際の計数結果を更新するようにすることで、係員の手作業による手間やミスを防止することができる。
【００５１】
これらの実施例に示した紙幣計数機のように、本来の計数処理の中で、当該の紙幣ソーターにて、ポケットから取り出した計数済紙幣束の枚数を再確認し、ポケットに一度集積した紙幣を再識別することが可能となる。別の紙幣ソーターを設置する必要はないので追加のコストは不要となり、また、割り込み計数の結果を手作業で取り込む必要はないので、手間やミスが生じることもなくなる。なお、本実施例においてはポケット紙幣の再計数を示したが、リジェクトに集積された紙幣の再計数も同様に実施可能である。
【符号の説明】
【００５２】
１……紙幣ソーター
２……操作部
３……電源スイッチ部
１０…紙幣投入部（ホッパー）
１１…ポケット１
１２…ポケット２
１３…ポケット３
１４…ポケット４
１５…リジェクト１
１６…リジェクト２
１７…紙幣搬送機構
１８…識別部
２１…ポケット１ 紙幣センサー
２２…ポケット２ 紙幣センサー
２３…ポケット３ 紙幣センサー
２４…ポケット４ 紙幣センサー
２５…リジェクト１ 紙幣センサー
２６…リジェクト２ 紙幣センサー
１００…集計テーブル
【図１】
2018151725.tif 000003
【図２】
2018151725.tif 000004
【図３】
2018151725.tif 000005
【図４】
2018151725.tif 000006
【図５Ａ】
2018151725.tif 000007
【図５Ｂ】
2018151725.tif 000008
【図６】
2018151725.tif 000009
【図７】
2018151725.tif 000010
【図８】
2018151725.tif 000011
【図９】
2018151725.tif 000012
【図１０】
2018151725.tif 000013
【図１１】
2018151725.tif 000014
【図１２】
2018151725.tif 000015
【図１３Ａ】
2018151725.tif 000016
【図１３Ｂ】
2018151725.tif 000017
【図１４】
2018151725.tif 000018
【図１５】
2018151725.tif 000019
【図１６】
2018151725.tif 000020
【図１７】
2018151725.tif 000021
【図１８】
2018151725.tif 000022
【図１９Ａ】
2018151725.tif 000023
【図１９Ｂ】
2018151725.tif 000024
【図２０】
2018151725.tif 000025
【図２１】
2018151725.tif 000026
【図２２】
2018151725.tif 000027
【図２３】
2018151725.tif 000028
【図２４】
2018151725.tif 000029